(57)【特許請求の範囲】
【請求項１】
映像切替えの前後の２つの映像信号が入力され、映像切替え指示に応じて映像信号を切り替える映像切替え手段と、
上記２つの映像信号各々の音声信号が入力され、音声切替え指示に応じて音声信号を切り替える音声切替え手段と、
映像切替えを指示する映像切替え指示手段と、
映像切替えと連携して音声を切り替える音声連携を指示する音声連携指示手段とを備え、該音声連携指示手段による音声連携指示後に映像切替え指示手段による映像切替え指示をした場合には、該映像切替え指示に応じて該映像切替え手段による映像切替えと音声切替え手段による音声切替えとを同期して行って映像切替え後の映像信号と音声信号とを一致させ、
該映像切替え指示手段の映像切替え指示による映像切替え後に音声連携指示手段による音声連携指示をした場合には、該音声連携指示をした時の音声信号がその映像切替え後の映像信号に一致したものか否かを判定して一致したものでなければ、該音声連携指示に応じて該音声切替え手段により音声信号を該映像切替え後の映像信号に一致するように切り替え、一致したものであれば音声信号を変化させないように構成したＡＶミキサー。
【請求項２】
映像切替えの前後の２つの映像信号が入力され、映像切替え指示に応じて映像信号を切り替える映像切替え手段と、
上記２つの映像信号各々の音声信号が入力され、音声切替え指示に応じて音声信号を切り替える音声切替え手段と、
映像切替えを指示する映像切替え指示手段と、
映像切替えに先立って音声信号を映像切替え後の映像信号のものに切り替える音声先出しを指示する音声先出し指示手段とを備え、
音声先出し指示手段により音声先出し指示をした時、該音声先出し指示をした時の音声信号がその時の映像信号に一致したものであれば、該音声先出し指示に応じて該音声切替え手段により音声信号を次に行われる映像切替え後の映像信号に一致するように切り替えるように構成したＡＶミキサー。
【請求項３】
映像切替えの前後の２つの映像信号が入力され、映像切替え指示に応じて映像信号を切り替える映像切替え手段と、
上記２つの映像信号各々の音声信号が入力され、音声切替え指示に応じて音声信号を切り替える音声切替え手段と、
映像切替えを指示する映像切替え指示手段と、
映像切替えと連携して音声を切り替える音声連携を指示する音声連携指示手段とを備え、
映像切替えに先立って音声信号を映像切替え後の映像信号のものに切り替える音声先出しを指示する音声先出し指示手段とを備え、
該音声連携指示手段により音声連携が指示されている場合は、該映像切替え手段により映像切替え指示に応じて映像と音声を連携して切り替え、
音声先出し指示手段により音声の先出しが指示された場合は、該音声連携指示手段により音声連携が指示されているか否かにかかわらず、音声信号の切替えを次に行われる映像信号の切り替えに先立って行うように構成したＡＶミキサー。
【請求項４】
該音声先出し指示により該映像切替え後の音声信号が先出しされたらその状態を音声先出し状態として表示し、該映像切替えが行われて映像信号と音声信号とが一致したら該音声先出し状態の表示を解除する表示手段を更に備えた請求項２または３記載のＡＶミキサー。
【請求項５】
上記音声切替え手段による音声の切替えは、クロスフェードで行うようにした請求項１〜４のいずれかに記載のＡＶミキサー。
【発明の詳細な説明】
【０００１】
【発明の属する技術分野】
本発明は、ＡＶ（オーディオ・ビデオ）ミキサーに関する。
【０００２】
【従来の技術】
従来の一般的なＡＶミキサーでは、音声ミックスに関して音声ミキサー用セクション（操作子群）を設けたものがある。しかし、このように音声ミキサー専用のセクションを設けると、操作子の数が増え、操作が煩雑になるという問題点がある。
そのため、かかる音声ミキサー用セクションの代わりに音声連携スイッチを設け、この音声連携スイッチがＯＮになっているときには、映像の切替えに同期して音声も連携して切り替わるようにしたものがある。
【０００３】
図１３にはかかる音声連携機能を有するＡＶミキサーにおける映像・音声の切替え回路の従来例が示される。図１３において、６０は映像用ＶＣＡ（電圧制御増幅）回路である。この映像用ＶＣＡ回路６０には２つの映像信号Ａ、Ｂが入力されており、入力される制御電圧の大きさに応じてその映像出力を一方の映像信号から他方に映像信号にクロスフェードにより漸次に切り替えできるものである。６１、６２は音声用ＶＣＡ回路であり、音声用ＶＣＡ回路６１は映像信号Ａに対応する音声信号Ａを、入力される制御電圧の大きさに応じて音量制御（フェードイン／フェードアウト）することができ、音声用ＶＣＡ回路６２は映像信号Ｂに対応する音声信号Ｂを、入力される制御電圧の大きさに応じて音量制御することができる。６４は音声用ＶＣＡ回路６１、６２の各音声出力を加算して出力する加算回路である。
【０００４】
８１はオートテイクボタンであり、２つの映像信号をフェードをかけながら一方から他方へ切り替えるときにＯＮされるものである。６５は制御電圧発生回路であり、オートテイクボタン８１がＯＮになると漸次に立ち上がり、ＯＦＦになると漸次に立ち下がる電圧を発生して映像用ＶＣＡ回路６０に制御電圧として供給するとともに、音声用ＶＣＡ回路６１、６２にもスイッチ回路６１０を介して制御電圧として供給する。この際、音声用ＶＣＡ回路６２に供給される制御電圧は反転回路６１１により最大値／最小値の関係が反転される。スイッチ回路６１０は音声連携ボタン８２がＯＮになると制御電圧発生器６５を音声用ＶＣＡ回路６１、６２側に接続し、ＯＦＦのときには音声フェーダ６１２を音声用ＶＣＡ回路６１、６２側に接続するよう切替えを行う回路である。
【０００５】
このＡＶミキサーでは、図１４に示されるように、音声連携ボタン８２がＯＮされた後にオートテイクボタン８１がＯＮされると、「音声連携」の切替えとなり、オートテイクボタン８１がＯＮされたタイミングで映像用ＶＣＡ回路６０の映像信号が映像信号Ａから映像信号Ｂにクロスフェードにより漸次に切り替わるとともに、この映像信号の切り替わりのタイミングに同期して、加算回路６４からの音声出力も音声信号Ａから音声信号Ｂにクロスフェードにより漸次に切り替わる。
【０００６】
一方、図１５に示されるように、音声連携ボタン８２がＯＦＦの状態でオートテイクボタン８１がＯＮされると、「音声非連動」の切替えとなり、それまで映像用ＶＣＡ回路６０から例えば映像信号Ａが映像出力されていたものを、所定長のフェードタイムのうちに映像信号Ｂに漸次に切り替わる。この場合、加算回路６４からの音声出力は映像切替え後も音声信号Ａのままである。
【０００７】
更にこの状態で、音声連携ボタン８２をＯＮにすると、図１６に示すように、「音声連動後押し」の切替えとなり、加算回路６４からの音声出力は、音声連携ボタン８２がＯＮされたタイミングで音声信号Ａから音声信号Ｂに突然に切り替わる。この場合、音声の切り替わりは突然的であるので不自然な感じがある。
【０００８】
以上のような動作をする理由は、図１３の回路図からも明らかなように、音声連携ボタン８２のＯＮ／ＯＦＦに応じて、音声用ＶＣＡ回路６１、６２に供給される制御電圧が、スイッチ回路６１０により、音声フェーダ６１２の出力電圧から制御電圧発生器６５からの制御電圧に不連続にかつ瞬間的に切り替えられるためである。
【０００９】
【発明が解決しようとする課題】
このように、従来のＡＶミキサーにおける音声連携機構は、音声の切替え制御を映像の切替えに同期させて行うか否かを選択するだけの機能であったため、映像編集における映像と音声の切替えによる演出が単調的である。つまり、音声連携ボタンをＯＮにして映像の切替えと同期させる場合には、映像と音声の切替えがぴったりと同期してしまうため、場面チェンジの演出効果の上では稚拙の感が否めない。このため、従来の音声連携ボタンだけでは、音と映像の切替えのタイミングをずらすことによる映像切替えの効果的な演出、例えば、映像切替え後もしばらくは切替え前の映像の音を残すことで前場面の映像の余韻感を演出（音声後追いの切替え）したり、映像切替え前に切替え後の映像の音を先に出して観客の興味や期待を予め引く演出（音先出しの切替え）をしたりするといった、より効果的な演出を行うことができなかった。
【００１０】
この結果、結局は音声連携ボタンをＯＦＦとして手動で音声フェーダによる切替え操作をせざるを得ないが、この操作は煩雑で技能を必要とするうえ、手動操作のための音声フェーダ操作子が必ず必要となるという問題点がある。
【００１１】
これらの問題点の解決方法として、音声連携に非連携、連携、遅延の各モードを設け、遅延モードでは予め設定した時間が経過した後に音声の切替えを行うようにする方法も考えられる。しかしながら、多くの場合、音声切替えの遅延のとり方にはシーンごとの適量があるものであり、よって各シーン毎に遅延時間の設定を変更しなければならず、最適な音声切替え遅延を伴ったシーンチェンジを簡単に実現することには困難がある。
【００１２】
本発明はかかる問題点に鑑みてなされたものであり、映像切替えにあたっての音声の先出しや後追いの切替えを簡単な操作で行えるようにすることを目的とする。
【００１３】
【課題を解決するための手段】
上述の問題点を解決するために、本発明に係るＡＶミキサーは、１つの形態として、映像切替えの前後の２つの映像信号が入力され、映像切替え指示に応じて映像信号を切り替える映像切替え手段と、上記２つの映像信号各々の音声信号が入力され、音声切替え指示に応じて音声信号を切り替える音声切替え手段と、映像切替えを指示する映像切替え指示手段と、映像切替えと連携して音声を切り替える音声連携を指示する音声連携指示手段とを備える。この構成において、該音声連携指示手段による音声連携指示後に映像切替え指示手段による映像切替え指示をした場合には、該映像切替え指示に応じて該映像切替え手段による映像切替えと音声切替え手段による音声切替えとを同期して行って映像切替え後の映像信号と音声信号とを一致させる。これにより、映像切替え指示手段により映像切替え指示を行うという単純な操作で、映像切替え後における映像とその音声とを簡単に一致させることができる。また、該映像切替え指示手段の映像切替え指示による映像切替え後に音声連携指示手段による音声連携指示をした場合には、該音声連携指示をした時の音声信号がその映像切替え後の映像信号に一致したものか否かを判定して一致したものでなければ、該音声連携指示に応じて該音声切替え手段により音声信号を該映像切替え後の映像信号に一致するように切り替え、一致したものであれば音声信号を変化させないようにする。これにより、映像切替えにあたって映像切替え後も映像切替え前の音声を残すことで前場面の余韻感を演出でき、その後に音声連携指示手段により音声連携指示を行うという簡単な操作で、その音声を映像切替え後の映像に一致させることができる。上述の音声切替えはクロスフェードで行うことができ、その場合には自然な感じで音声切替えを行える。
【００１４】
また、本発明に係るＡＶミキサーは、他の形態として、映像切替えの前後の２つの映像信号が入力され、映像切替え指示に応じて映像信号を切り替える映像切替え手段と、上記２つの映像信号各々の音声信号が入力され、音声切替え指示に応じて音声信号を切り替える音声切替え手段と、映像切替えを指示する映像切替え指示手段と、映像切替えに先立って音声信号を映像切替え後の映像信号のものに切り替える音声先出しを指示する音声先出し指示手段とを備えている。この構成において、音声先出し指示手段により音声先出し指示をした時、該音声先出し指示をした時の音声信号がその時の映像信号に一致したものであれば、該音声先出し指示に応じて該音声切替え手段により音声信号を次に行われる映像切替え後の映像信号に一致するように切り替える。これにより、音声先出し指示手段により音声先出し指示を行うことで、映像切替え前にその切替え後の映像の音声を先出しすることができ、シーンチェンジの際の音声先出しによる演出効果を簡単に実現できる。上述の音声切替えは例えばクロスフェード等で行うよう構成することができ、この場合には、自然な感じで音声切替えを行える。
【００１５】
また、本発明に係るＡＶミキサーは、また他の形態として、映像切替えの前後の２つの映像信号が入力され、映像切替え指示に応じて映像信号を切り替える映像切替え手段と、上記２つの映像信号各々の音声信号が入力され、音声切替え指示に応じて音声信号を切り替える音声切替え手段と、映像切替えを指示する映像切替え指示手段と、映像切替えと連携して音声を切り替える音声連携を指示する音声連携指示手段と、映像切替えに先立って音声信号を映像切替え後の映像信号のものに切り替える音声先出しを指示する音声先出し指示手段とを備える。
この構成において、該音声連携指示手段により音声連携が指示されている場合は、該映像切替え手段により映像切替え指示に応じて映像と音声を連携して切り替え、音声先出し指示手段により音声の先出しが指示された場合は、該音声連携指示手段により音声連携が指示されているか否かにかかわらず、音声信号の切替えを次に行われる映像信号の切り替えに先立って行うようにする。
このように構成することで、映像切替え指示手段のみの操作で音声連携を伴わない映像切替えをすることで、映像切替え後も映像切替え前の音声を残して前場面の余韻感を演出でき、その後に音声連携指示手段により音声連携指示を行うという簡単な操作で、その音声を映像切替え後の映像に一致させることができる。また、音声先出し指示手段により音声先出し指示を行った場合には、映像切替え前にその切替え後の映像の音声を先出しすることができ、シーンチェンジの際の音声先出しによる演出効果を簡単に実現でき、しかもこの音声先出し指示は音声連携指示による処理に優先して実行されるので、操作者の意図をより的確に反映した映像・音声の切替えが可能となる。
この音声切替えは例えばクロスフェード等で行うよう構成することができ、この場合には、自然な感じで音声切替えを行える。
【００１６】
上述のＡＶミキサーにおいては、該音声先出し指示により該映像切替え後の音声信号が先出しされたらその状態を音声先出し状態として表示し、該映像切替えが行われて映像信号と音声信号とが一致したら該音声先出し状態の表示を解除する表示手段を更に備えるようにしてもよい。
このような表示手段を備えることで、音声先出しの処理を行っている最中であることを操作者が的確に把握することができ、他の誤った操作を行ってしまうことを未然に防止できる。
【００１７】
【発明の実施の形態】
以下、図面を参照して本発明の実施形態を説明する。
図２は本発明に係る一実施形態としてのＡＶミキサーの全体構成を示すブロック図である。図２において、１は装置全体の制御を司るＣＰＵ（中央処理装置）、２は各種データを記憶する作業用のＲＡＭ（ランダム・アクセス・メモリ）、３は制御プログラムや各種テーブル等を記憶するＲＯＭ（リード・オンリー・メモリ）であり、これらはバス９を介して相互に接続されている。４は表示部であり、５はこの表示部５を駆動する表示ドライバーである。６は映像信号や音声信号を切替え等して出力処理するための映像・音声回路、８は操作パネル上の各種操作子であり、これら映像・音声回路６や操作パネル８はインタフェース回路７を介してバス９に接続される。
【００１８】
図１にはこの実施形態の操作パネル８上の各種操作子や表示器が示される。図１において、８１はクロスフェードによる映像切替えを指示するためのオートテイクボタン、８２は映像切替えにあたり音声の切替えを連携させることを指示するための音声連携ボタン、８３は映像切替えにあたり音声を先に切り替えることを指示するための音声先出し（プリスタート）ボタン、８４は現在の映像の音声を外部音声ＡＵＸ（その映像本来の音声以外の外部入力される音声）に切り替える指示をするためのＡＵＸインサートボタン、８５は現在の映像の音声に外部音声を重ね合わせる指示をするためのＡＵＸミックスボタンである。これらのボタン８１〜８５にはその上部側にＬＥＤ（発光ダイオード）からなる表示器が取り付けられており、ボタンスイッチをＯＮにした時に点灯されるようになっている。
【００１９】
８６は設定ボタンであり、各種のパラメータの値を設定するために用いられる。図中、８６１は音声Ａのボタンスイッチ、８６２は音声Ｂのボタンスイッチ、８６３は外部音声ＡＵＸのボタンスイッチであり、これらを押すことで対応する音声を選択し、その選択した音声の音量レベル等のパラメータ値を液晶表示器４１に表示しつつ、アップキー８６６／ダウンキー８６７でその設定値を調整することができる。８６４はミックスレベルボタンであり、音声ＡまたはＢと外部音声ＡＵＸとのミックス比率を設定する時に押され、そのミックス比率をアップキー８６６／ダウンキー８６７で設定調整することができる。８６５はフェードタイムボタン８６５であり、フェードタイムを設定調整する時に押される。ここで、フェードタイムは映像や音声をクロスフェードで切り替える際の切替え時間の長さであり、言い換えれば切替えの速度となり、切替え時間が長ければゆっくり切り替わり、短ければ速く切り替わる。このフェードタイムは映像と音声それぞれに設定することができる。
【００２０】
８７はフェーダであり、映像をクロスフェードで手動により切り替える際に用いられる。このフェーダ８７の横側にはその操作方向に沿ってＬＥＤからなる複数の表示器４４が一列に配置されている。これらの表示器４４は、点灯（連続点灯状態）している表示器の位置により映像の切替え状態（２つの映像のミックス比の状態）を表示し、また、点滅している表示器の位置により音声の切替え状態（２つの音声のミックス比の状態）を表示するものであり、上述のオートテイクボタン８１のＯＦＦ時には映像切替えのためにフェーダ８７を移動操作すると、それに同期してその移動位置に対応する表示器４４が点灯する。また、オートテイクボタン８１のＯＮによる映像切替え指示により自動的に映像切替えがクロスフェードで行われている場合には、その切替え過程中においては切替え前／後の映像のミックス比率に応じて、点灯される表示器４４の位置が移動する。この場合（オートテイクボタン８１がＯＮ）には、フェーダ８７はモータドライブ型のものではないので、元の位置に留まっており、またこの時に手動でフェーダ８７を移動させたとしてもそれに伴って表示器４４の点灯状態が変化することはないが、フェーダ８７を、オートテイクで点灯した表示器４４と同じ位置に移動した後は、このフェーダ８７の移動操作に同期して映像が切り替えられるとともに、表示器４４もその切替え位置に応じて点灯表示される。
【００２１】
なお、音声連携ボタン８２がＯＮでない場合には、後述するようにフェーダ８７によっては映像のみが切り替えられることになるが、例えばその時の映像と音声とが一致している場合には、そのフェーダ８７の位置で表示器４４が点灯され、さらにフェーダ８７またはオートテイクボタン８１の指示により映像が切り替えられると、映像の混合比を表す表示器４４の点灯位置が移動し、音声の混合比を表す表示器４４の点滅位置は元の位置のままで点滅を継続する。
【００２２】
４２は音声Ａ用の表示器、４３は音声Ｂ用の表示器、４４は外部音声ＡＵＸ用の表示器であり、それぞれの音声が音声出力されている時に点灯されて、それにより現に音声出力されている音声の種類を明示するようになっている。
【００２３】
図３には映像・音声回路６の詳細な構成が示される。この映像・音声回路６には、映像信号Ａとその音声信号Ａ、映像信号Ｂとその音声信号Ｂ、外部音声信号ＡＵＸが入力され、これらを選択／混合した映像出力と音声出力が出力されるようになっている。
【００２４】
６０は映像用ＶＣＡ回路であり、映像信号ＡとＢが入力されており、制御電圧発生回路６５から入力される制御電圧の変化に応じて映像信号ＡからＢへ、または映像信号ＢからＡへ映像出力をクロスフェードしつつ切り替えることができる。この制御電圧発生回路６５は出力側にＤ／Ａ変換器を含み、オートテイクボタン８１がＯＮされると、０〜２５５段階のステップ数で漸増／漸減する制御電圧を発生し出力する。ここで、オートテイクボタン８１とフェーダ８７は対等であり、図３の制御ロジックはＣＰＵで制御され、プログラム制御によりボタンやフェーダの操作状態を読み込み、各制御電圧を制御している。
【００２５】
６１〜６３はそれぞれ音声用ＶＣＡ回路であって、それぞれ音声信号Ａ、音声信号Ｂ、外部音声信号ＡＵＸが入力されており、それぞれ制御電圧発生回路６６〜６８からの制御電圧に応じて出力信号の音量レベルが制御されるようになっている。制御電圧発生回路６６〜６８はそれぞれＤ／Ａ変換器からなり、制御ロジック回路６９からのディジタル値（８ビットデータで０〜２５５の範囲の値）をディジタル／アナログ変換して制御電圧として出力する。これら音声用ＶＣＡ回路６１〜６３の出力信号は加算器６４で加算合成されて音声出力として出力される。
【００２６】
制御ロジック回路６９には、オートテイクボタン８１、音声連携ボタン８２、音声先出しボタン８３、ＡＵＸインサートボタン８４、ＡＵＸミックスボタン８５、設定ボタン８６の各スイッチ信号が入力されており、これらのスイッチ信号のＯＮ／ＯＦＦの組み合わせ論理に基づいて制御電圧発生回路６６〜６８へそれぞれ出力するディジタル値を決定、生成し出力する。
【００２７】
以下、この実施形態のＡＶミキサーの動作を説明する。
まず、「音声連携（オーディオ・フォロー）」「音声後追い」「音声先出し（プリスタート）」の基本的な３つの動作について説明する。
【００２８】
「音声連携（オーディオ・フォロー）」は、従来の技術で説明した最も基本的な動作である。図１４に示すように、まず音声連携ボタン８２をＯＮにする。この時点では映像、音声ともに何らの切替えもされず、音声連携モードが設定されるだけである。この音声連携ボタン８２がＯＮの状態で、オートテイクボタン８１をＯＮにすると、映像出力を映像信号Ａから映像信号Ｂへクロスフェードし、それと同期して、音声出力も音声信号Ａから音声信号Ｂにクロスフェードする。
【００２９】
「音声後追い」は、図４に示すように、音声連携ボタン８２がＯＦＦの状態でオートテイクボタン８１をＯＮにすると、映像用ＶＣＡ回路６０から出力される映像出力は、映像信号Ａから映像信号Ｂにクロスフェードしながら切り替わるが、この時点では加算器６４から出力される音声出力は、切替え前の映像Ａに対応した音声信号Ａのままである。この状態で、音声連携ボタン８２を押すと、音声出力が映像信号Ｂに連携（つまり一致）するように、音声信号Ａから音声信号Ｂに切り替わるが、この切替えはクロスフェードにより行われる。すなわち、図３において、制御ロジック６９は上記の状態となったことを判定し、制御電圧発生回路６６の制御電圧を音声用ＶＣＡ回路６１の出力が漸減し、かつ制御電圧発生回路６７の制御電圧を音声用ＶＣＡ回路６２の出力が漸増するように制御する。
【００３０】
一方、「音声先出し」は、図５に示すように、音声先出しボタン８３を押すと、制御ロジック６９は、制御電圧発生回路６６の制御電圧を音声用ＶＣＡ回路６１の出力が漸減し、かつ制御電圧発生回路６７の制御電圧を音声用ＶＣＡ回路６２の出力が漸増するように制御し、それにより音声信号Ａを音声信号Ｂにクロスフェードにより切り替える。これにより、次に予定されている映像信号Ｂについての音声先出しが実現される。次いで、オートテイクボタン８１が押されると、映像用ＶＣＡ回路６０から出力される映像出力は、映像信号Ａから映像信号Ｂにクロスフェードしながら切り替わる。
【００３１】
次に、上述の動作を含めたこの実施形態のＡＶミキサーの各種動作をフローチャートを参照しつつ説明する。
まず、前述の「音声連携（オーディオ・フォロー）」の動作について図６を参照して説明する。オートテイクボタン８１がＯＮされると（ステップＳ１）、音声連携ボタン８２のＯＮ／ＯＦＦ状態が判定される（ステップＳ２）。音声連携ボタン８２が既にＯＮ（すなわちオートテイクボタン８１と音声連携ボタン８２が共にＯＮ）であると、映像信号と音声信号を共にクロスフェードにより切り替える（ステップＳ３）。つまり、現在が映像Ａ＋音声Ａであれば映像Ｂ＋音声Ｂにクロスフェードし、一方、現在が映像Ｂ＋音声Ｂであれば映像Ａ＋音声Ａにクロスフェードする。
【００３２】
一方、音声連携ボタン８２がＯＦＦであれば、音声信号の切替えは行わずに、単に映像信号のみをクロスフェードする。つまり、現在が映像Ａであれば映像Ｂにクロスフェードして音声Ａは残したままとし、一方、現在が映像Ｂであれば映像Ａにクロスフェードして音声Ｂは残したままとする。
【００３３】
なお、ステップＳ１における処理は、オートテイクボタン８１をＯＮにすることに換えて、フェーダ８７をマニュアル操作することで映像を切り替えるものであっても勿論よい。
【００３４】
次に、前述の「音声後出し」の動作を図７を参照して説明する。
音声連携ボタン８２がＯＮされると（ステップＳ１１）、その時点での映像出力と音声出力が一致しているか否か（すなわち映像Ａと音声Ａの組合せ、または映像Ｂと音声Ｂの組合せとなっているか否か）を判定し（ステップＳ１２）、一致していれば、その時点での映像出力と音声出力は連携（すなわち一致）しているので、何らの処理もせずにフローを終了する。
【００３５】
一方、一致していなければ、現在の音声信号を他方（他チャネル）の音声信号にクロスフェードして映像と音声を一致させる（ステップＳ１３）。つまり、例えば現在が映像Ａ＋音声Ｂの時に音声連携ボタン８２がＯＮされると、音声Ｂを音声Ａにクロスフェードし、一方、映像Ｂ＋音声Ａの時に音声連携ボタン８２がＯＮされると、音声Ａを音声Ｂにクロスフェードする。また、例えば現在が映像Ａ＋外部入力音声ＡＵＸの時に音声連携ボタン８２がＯＮされると、外部入力音声ＡＵＸを音声Ａにクロスフェードするものであってもよい。
なお、この音声のクロスフェード動作中は、音声連携ボタンの表示器を点滅させ、映像と音声が一致させた時に点灯状態とするようにする。
【００３６】
次に、前述の「音声先出し（プリスタート）」の動作を図８を参照して説明する。
音声先出しボタン８３がＯＮにされると、現在の音声信号が現在の映像信号に一致したものか否かを判定して一致していれば、この音声先出しボタン８３のプリスタート表示器を点灯する（ステップＳ２１）。そして、現在の音声信号を他チャネルの音声信号（この後に予定されている映像切替えの後の映像信号に一致する音声信号）にクロスフェードで切り替える（ステップＳ２２）。つまり、現在が音声Ａであれば音声Ｂに、現在が音声Ｂであれば音声Ａに切り替えるものである。この状態で映像の切替えが行われたか否かを判定する（ステップＳ２３）。この切替えはオートテイクボタン８１をＯＮにすることでも、また映像フェーダ８７を手動操作することでも可能である。映像の切替えの結果、映像出力と音声出力が一致すると（例えば映像Ａ＋音声Ａ、または映像Ｂ＋音声Ｂ）、音声先出しボタン８３のプリスタート表示器を消灯して音声のプリスタート動作が終了したことが分かるようにし、フローを終了する。
【００３７】
なお、ここで、上述の現在の音声信号が現在の映像信号に一致したものか否かを判定するにおいては、例えば映像信号Ａと映像信号Ｂのミックス比が、フェーダ８７によって映像信号Ｂから映像信号Ａに逐次に切り替えられていった結果として（音声連携ボタンはＯＦＦと仮定）、現在、映像信号Ａの割合が映像信号Ｂに対して３分の１以下程度であるような場合には、映像信号Ｂを現在の映像信号とみなし、現在の音声信号が映像信号Ｂに一致するか否かを判定し、一致すると判定された場合には、音声先出しにより音声信号Ａに完全に切り替えるようにする。
【００３８】
また、音声連携ボタン８２がＯＮになっている場合でも、音声先出しボタン８３が押されたら音声先出し処理を優先するものとし、たとえ音声連携ボタン８２のＯＮによる「音声連携」あるいは「音声後出し」の動作期間中であっても、音声先出しボタン８３のＯＮを契機として音声先出し動作を行うものとする。
【００３９】
次に、「外部音声差換え」の動作を説明する。この「外部音声差換え」には、音声連携ボタン８２がＯＦＦの時のモードと、音声連携ボタン８２がＯＮの時のモードの２種類がある。
【００４０】
まず、前者の「外部音声差換え」モードについて図９を参照して説明する。音声連携ボタン８２がＯＦＦの状態（つまり音声非連携の状態）で、ＡＵＸインサートボタン８４をＯＮする（ステップＳ３１）。この際にＡＵＸインサートボタン８４の表示器を点灯して「外部音声差換え」モードであることが分かるようにする。ＡＵＸインサートボタン８４のＯＮに応答して、その時の映像出力に対応した音声出力（音声信号Ａまたは音声信号Ｂ）を外部音声信号ＡＵＸにクロスフェードで切り替えるよう音声制御を行う（ステップＳ３２）。この制御は制御ロジック６９から制御電圧発生回路６６〜６８に出力するディジタル値を可変制御することで実現される。「外部音声差換え」を終了する際にはＡＵＸインサートボタン８４をＯＦＦにする（ステップＳ３３）。これによりＡＵＸインサートボタン８４の表示器が消灯されると共に、その時に音声出力されている外部音声信号ＡＵＸをクロスフェードによりその時の映像信号に対応した音声信号（音声信号Ａまたは音声信号Ｂ）に切り替える（ステップＳ３４）。
【００４１】
次に、後者の「外部音声差換え」モードについて図１０を参照して説明する。音声連携ボタン８２がＯＮの状態（つまり音声連携の状態）で、ＡＵＸインサートボタン８４をＯＮにする（ステップＳ４０）。この際にＡＵＸインサートボタン８４の表示器を点灯する。そして、この時点での映像出力が映像Ａか映像Ｂかを判定する（ステップＳ４１）。
【００４２】
映像出力が映像Ａであった場合には、図１２の（２）に示されるように、その後にオートテイクボタン８１がＯＮされたら（ステップＳ４２）、映像出力を映像信号Ａから映像信号Ｂにクロスフェードすると共に、音声出力については音声信号Ａから外部音声信号ＡＵＸにクロスフェードする（ステップＳ４３）。つまり、画面切替え後の画像信号Ｂの音声信号Ｂに切り替えるのではなく、外部音声信号ＡＵＸに切り替えるものである。その後、ＡＵＸインサートボタン８４がＯＦＦにされたら、そのＡＵＸインサートボタン８４の表示器を消灯する（ステップＳ４４）。そしてこの時点では音声出力は外部音声信号ＡＵＸのままにしておく。この後に再びオートテイクボタン８１がＯＮにされたら（ステップＳ４５）、映像出力を映像信号Ｂから映像信号Ａにクロスフェードすると共に、音声出力を外部音声信号ＡＵＸから映像信号Ａに対応した音声信号Ａにクロスフェードする（ステップＳ４６）。
一方、ステップＳ４１の判定で現在の映像出力が映像信号Ｂと判定された場合には、上述の処理において映像Ａと映像Ｂを逆に置き換えた処理を行う（ステップＳ４７〜Ｓ５１）。
【００４３】
次に、「外部音声ミックス」の動作を図１１を参照して説明する。この動作ではＡＵＸミックスボタン８５がＯＮされたら、その時の映像信号に対応した音声信号（音声信号Ａまたは音声信号Ｂ）に、外部音声信号ＡＵＸをミキシング（混合）して出力するものであり、そのミキンシングの比率は設定ボタン８６で予め設定しておく。なお、図１２の（３）にはこの「外部音声ミックス」の概念が示される。
【００４４】
ＡＵＸミックスボタン８５がＯＮされると、ＡＵＸミックスボタン８５の表示器を点灯する（ステップＳ６１）。そして、その時の映像信号に対応した音声信号（ＡまたはＢ）をＡＵＸ・ＭＩＸフェードタイムの間に所定のレベルまで漸減させるとともに、外部音声信号ＡＵＸをゼロから所定レベルまで漸増させることで、両者をミキシングして音声出力する（ステップＳ６２）。その後、ＡＵＸミックスボタン８５がＯＦＦされたら、その表示器を消灯すると共に、ＡＵＸ・ＭＩＸフェードタイムの間に、その時の映像信号に対応した音声信号（ＡまたはＢ）を元の音量レベルに漸増すると共に、外部音声信号ＡＵＸをゼロに漸減させる。
【００４５】
本発明の実施にあたっては種々の変形形態が可能である。例えば上述した実施例では、映像の切替えをクロスフェードで行う場合について述べたが、この他に、ディゾルブあるいはワイプなどで切替えを行うものであってもよい。また、上述の実施例では、映像信号と音声信号ともにアナログ信号として説明したが、これらがディジタル信号の場合には、映像信号と音声信号ともにＤＳＰ（ディジタル・シグナル・プロセッサ）などで制御するように構成すればよい。
【００４６】
【発明の効果】
以上に説明したように、本発明によれば、映像切替えにあたっての音声の先出しや後追いの切替えを簡単な操作で行えるようになる。
【図面の簡単な説明】
【図１】本発明にかかる一実施形態としてのＡＶミキサーの全体的な構成を示すブロック図である。
【図２】本発明にかかる一実施形態としてのＡＶミキサーの操作パネル上の構成を示す図である。
【図３】本発明にかかる一実施形態としてのＡＶミキサーにおける映像・音声回路６の詳細な構成を示す図である。
【図４】本発明にかかる一実施形態としてのＡＶミキサーにおける音声後出しの動作を説明するための図である。
【図５】本発明にかかる一実施形態としてのＡＶミキサーにおける音声先出しの動作を説明するための図である。
【図６】本発明にかかる一実施形態としてのＡＶミキサーにおける音声連携（オーディオフォロー）の動作手順を説明するためのフローチャートである。
【図７】本発明にかかる一実施形態としてのＡＶミキサーにおける「音声後追い」の動作手順を説明するためのフローチャートである。
【図８】本発明にかかる一実施形態としてのＡＶミキサーにおける「音声先出し」の動作手順を説明するためのフローチャートである。
【図９】本発明にかかる一実施形態としてのＡＶミキサーにおける「ＡＵＸ差換え」モード１の動作手順を説明するためのフローチャートである。
【図１０】本発明にかかる一実施形態としてのＡＶミキサーにおける「ＡＵＸ差換え」モード２の動作手順を説明するためのフローチャートである。
【図１１】本発明にかかる一実施形態としてのＡＶミキサーにおける「ＡＵＸ差換え」モード２の動作手順を説明するためのフローチャートである。
【図１２】本発明にかかる一実施形態としてのＡＶミキサーにおける映像・音声の切替えの概念を説明するためのフローチャートである。
【図１３】従来一般的なＡＶミキサーの映像・音声の切替え回路の例を示す図である。
【図１４】従来のＡＶミキサーにおける音声非連動の場合の映像・音声切替えを説明する図である。
【図１５】従来のＡＶミキサーにおける音声連動前押しの場合の映像・音声切替えを説明する図である。
【図１６】従来のＡＶミキサーにおける音声連動後押しの場合の映像・音声切替えを説明する図である。
【符号の説明】
１  ＣＰＵ（中央処理装置）
２  ＲＡＭ（ランダム・アクセス・メモリ）
３  ＲＯＭ（リード・オンリー・メモリ）
４  表示部
５  表示ドライバー
６  映像・音声回路
７  インタフェース
８  操作パネル
６０  映像用ＶＣＡ回路
６１〜６３  音声用ＶＣＡ回路
６４  加算回路
６５〜６８  制御電圧発生回路
６９  制御ロジック
８１  オートテイクボタン
８２  音声連携ボタン
８３  音声先出しボタン
８４  ＡＵＸインサートボタン
８５  ＡＵＸミックスボタン
８６  設定ボタン
【図１】
0004255541.tif 000002
【図２】
0004255541.tif 000003
【図３】
0004255541.tif 000004
【図４】
0004255541.tif 000005
【図５】
0004255541.tif 000006
【図６】
0004255541.tif 000007
【図７】
0004255541.tif 000008
【図８】
0004255541.tif 000009
【図９】
0004255541.tif 000010
【図１０】
0004255541.tif 000011
【図１１】
0004255541.tif 000012
【図１２】
0004255541.tif 000013
【図１３】
0004255541.tif 000014
【図１４】
0004255541.tif 000015
【図１５】
0004255541.tif 000016
【図１６】
0004255541.tif 000017